(57)【要約】【課題】加熱手段がマイクロ波照射のための構成と干渉せず、誘電加熱運転のマイクロ波の損失を防止し誘電加熱の効率向上を図り、食材の両面に焼き色や焦げ目をつけて食感や風味を食材に与える加熱を可能にすること。【解決手段】加熱室１５内に上下からマイクロ波を照射する第一の給電口１９、第二の給電口２８を設け、加熱室平面の略全面積を占める電波透過性の非金属材料を使用した基体の第一のグリル皿３４と第二のグリル皿３５とを備え、第一のグリル皿３４、第二のグリル皿３５はマイクロ波発熱体によって構成される発熱体加熱手段３６を下面の一部に有し、それ以外の下面部分に金属製カバーを設ける。これにより、二つの第一のグリル皿３４、第二のグリル皿３５で食品１４を挟んで加熱することになり、マイクロ波により誘電加熱するマイクロ波加熱装置でも、簡単構成で食品１４の両面に焼き色や焦げ目をつけることができる。【選択図】図１
2014016069.tif 000002
【特許請求の範囲】
【請求項１】
被加熱物を収納した状態でマイクロ波加熱手段によってマイクロ波が照射される加熱室で用いるための、被加熱物を載置可能な被加熱物載置手段であって、
前記加熱室平面の略全面積を占める電波透過性の非金属材料を使用した基体で構成され、前記基体の下面の一部に形成され、前記マイクロ波加熱手段によって照射されたマイクロ波を吸収して発熱するマイクロ波発熱体によって構成された発熱体加熱手段と、
前記基体の下面において前記発熱体加熱手段が形成された以外の下面部分に形成された金属製カバーを備えた被加熱物載置手段。
【請求項２】
被加熱物を収納する加熱室と、
前記加熱室内に収納された被加熱物へマイクロ波を照射するマイクロ波加熱手段と、
前記加熱室平面の略全面積を占める電波透過性の非金属材料を使用した基体で構成され、前記基体の下面の一部に形成され、前記マイクロ波加熱手段によって照射されたマイクロ波を吸収して発熱するマイクロ波発熱体によって構成された発熱体加熱手段と、前記基体の下面において前記発熱体加熱手段が形成された以外の下面部分に形成された金属製カバーを備えた第一と第二の被加熱物載置手段と、
前記マイクロ波加熱手段からのマイクロ波を前記加熱室内に導入するために前記加熱室の壁面に設けた第一と第二の給電口とを備え、
前記第一の被加熱物載置手段は前記加熱室の上方に配置され、
前記第二の被加熱物載置手段は前記加熱室の下方に配置され、
前記第一の給電口は前記第一の被加熱物載置手段よりも上方の前記加熱室の壁面に設け、前記第二の給電口は前記第二の被加熱物載置手段よりも下方の前記加熱室の壁面に設けたマイクロ波加熱装置。
【請求項３】
前記マイクロ波加熱手段を複数個有し、前記第一の給電口からマイクロ波を照射できるように接続された第一のマイクロ波加熱手段と、前記第二の給電口からマイクロ波を照射できるように接続された第二のマイクロ波加熱手段とを備えた請求項２に記載のマイクロ波加熱装置。
【請求項４】
前記第一の被加熱物載置手段および前記第二の被加熱物載置手段のうちの少なくとも一方の配置有無を検出する配置検出手段を備えた請求項２または請求項３に項記載のマイクロ波加熱装置。
【請求項５】
前記被加熱物を加熱するパターンを複数の中から選択設定できる加熱モード選択手段と、前記加熱モード選択手段の設定に基づき加熱制御する制御手段とを備え、前記制御手段は前記配置検出手段の出力信号に基づき、前記第一の被加熱物載置手段及び前記第二の被加熱物載置手段のうちの少なくとも一つの被加熱物載置手段が有ると判断したときは被加熱物への誘電加熱単独加熱モードの選択を禁止するようにした請求項４に記載のマイクロ波加熱装置。
【発明の詳細な説明】
【技術分野】
【０００１】
本発明は、輻射熱や対流熱を組み合わせた非加熱物の加熱方法について、加熱手段の一つとしてマイクロ波を吸収して発熱するマイクロ波発熱体を用いたもので、特に被加熱物である食品をオーブンやグリル調理することが可能な被加熱物載置手段とそれを用いたマイクロ波加熱装置に関する。
【背景技術】
【０００２】
電子レンジの普及に伴い、その利便性から電子レンジを用いて食品を加熱調理することが広く行われている。電子レンジは、マグネトロンから発生するマイクロ波を食品全体に照射することで、食品に含まれている水分子に振動を与えて共振させ、水分子同士の振動摩擦によって発生する熱により、食品を内部より加熱するものである。ただ、電子レンジを用いて食品を単に加熱するだけでは、例えば、焼いたり焦がしたりすることによって生ずる香ばしさや焦げ目、サクサク感（いわゆるクリスピー性）を食品に与えることができない。
【０００３】
そこで近年、電子レンジとヒータ加熱装置を一体化したマイクロ波加熱装置が実用化されている。
【０００４】
これらのマイクロ波加熱装置では、加熱室内にヒータを備え、ヒータからの輻射熱で被加熱物である食品を直接加熱し、あるいは加熱室内の空気を加熱して加熱室内雰囲気温度を高温にすることで、加熱室内に載置された食品に焼き色および焦げ目をつける加熱調理をする。
【０００５】
このように従来のマイクロ波加熱装置には、加熱室内の上面と底面にヒータを設置し、内部に配置される食品を加熱する構成のものがあった（例えば、特許文献１参照）。
【先行技術文献】
【特許文献】
【０００６】
【特許文献１】特開２００６−３０８１１４号公報
【発明の概要】
【発明が解決しようとする課題】
【０００７】
しかしながら、従来の上下ヒータを備えたマイクロ波加熱装置では、ヒータが加熱室内の上部と底部に配置される必要があるため、マイクロ波照射のための構成と干渉することになる。
【０００８】
図６は特許文献１に記載された従来の上下ヒータを備えたマイクロ波加熱装置の断面図である。
【０００９】
図６に示すように、マイクロ波加熱装置は上ヒータ６７、下ヒータ６５ａ、６５ｂ、回転アンテナ６６、受け皿６３、金属製のヒータカバー６４、加熱室６２およびサーミスタ６１から構成されている。この加熱室６２内に被加熱物となる食品をいれ、下ヒータ６５ａ、６５ｂ及び上ヒータ６７を通電させることにより、上ヒータ６７、下ヒータ６５ａ、６５ｂから放射される輻射熱や、加熱室６２内の空気温度を上昇させることにより、食品の加熱調理を行う。また、サーミスタ６１により温度を検知し、加熱室６２内の温度情報を得ることにより電力制御を行うことができる。
【００１０】
このように構成された従来のマイクロ波加熱装置においては、加熱室６２内でマイクロ波の照射を受ける場所に上ヒータ６７が配置されていると、上ヒータ６７の構成部材にマイクロ波の一部が吸収されて発熱損失になったり、上ヒータ６７の種類や構成によってマイクロ波が上ヒータ６７を介して加熱室６２の外へ漏れやすくなるので、漏洩防止のためのマイクロ波遮蔽構造が複雑になったりする課題があった。
【００１１】
また、マイクロ波を照射する構成として一般的に加熱室壁面の近くにターンテーブル、回転アンテナ、回転スタラなど回転する部品を配しており、かなり広いスペースを占めている。図６の従来のマイクロ波加熱装置においても、回転アンテナ６６を備えており、回転スペースが邪魔になり、下ヒータ６５ａ、６５ｂを最適な位置に配置することが難しい。
【００１２】
このように、マイクロ波照射構成の邪魔にならないように下ヒータ６５ａ、６５ｂの配置を考慮する必要があり、上下ヒータの配置が制限されて、加熱分布を均一にすることが難しくなるという課題も有していた。
【００１３】
本発明は、前記従来の課題を解決するもので、加熱室内での配置が制限されるヒータに代わる加熱手段を設けることにより、誘電加熱のみで食品のあたためを行う場合のマイクロ波の損失を防止し、食品の両面に焼き色や焦げ目をつけて食感や風味を食品に与える加熱ができる、誘電加熱の効率向上と被加熱物の表面色や表面状態含む加熱性能の向上を図った被加熱物載置手段とそれを用いたマイクロ波加熱装置の提供を目的とする。
【課題を解決するための手段】
【００１４】
上記従来の課題を解決するために、本発明の被加熱物載置手段は、被加熱物を収納した状態でマイクロ波加熱手段によってマイクロ波が照射される加熱室で用いるための、被加熱物を載置可能な被加熱物載置手段であって、前記加熱室平面の略全面積を占める電波透過性の非金属材料を使用した基体で構成され、前記基体の下面の一部に形成され、前記マイクロ波加熱手段によって照射されたマイクロ波を吸収して発熱するマイクロ波発熱体によって構成された発熱体加熱手段と、前記基体の下面において前記発熱体加熱手段が形成された以外の下面部分に形成された金属製カバーを備えたものである。
【００１５】
また、上記従来の課題を解決するために、本発明のマイクロ波加熱装置は、被加熱物を収納する加熱室と、前記加熱室内に収納された被加熱物へマイクロ波を照射するマイクロ波加熱手段と、前記加熱室平面の略全面積を占める電波透過性の非金属材料を使用した基体で構成され、前記基体の下面の一部に形成され、前記マイクロ波加熱手段によって照射されたマイクロ波を吸収して発熱するマイクロ波発熱体によって構成された発熱体加熱手段と、前記基体の下面において前記発熱体加熱手段が形成された以外の下面部分に形成された金属製カバーを備えた第一と第二の被加熱物載置手段と、前記マイクロ波加熱手段からのマイクロ波を前記加熱室内に導入するために前記加熱室の壁面に設けた第一と第二の給電口とを備え、前記第一の被加熱物載置手段は前記加熱室の上方に配置され、前記第二の被加熱物載置手段は前記加熱室の下方に配置され、前記第一の給電口は前記第一の被加熱物載置手段よりも上方の前記加熱室の壁面に設け、前記第二の給電口は前記第二の被加熱物載置手段よりも下方の前記加熱室の壁面に設けたものである。
【００１６】
上記構成により、マイクロ波発熱体によって構成される発熱体加熱手段を有する二つの被加熱物載置手段で、被加熱物を挟んで加熱することにより、マイクロ波により誘電加熱するマイクロ波加熱装置でも簡単構成で被加熱物の両面に焼き色や焦げ目をつけることができるようになる。また、マイクロ波単独での誘電加熱のみで加熱を行う場合は、二つの被加熱物載置手段を取り外しマイクロ波の損失を防止して効率的に誘電加熱できる。そして、配置が制限されることなく被加熱物上下に発熱体加熱手段を取り付けることで焼き色
や焦げ目をつける加熱が可能となり、加熱分布を均一にできる。このように、誘電加熱の効率向上と被加熱物の表面色や表面状態含む加熱性能の向上を図ることができる。
【００１７】
さらに、それぞれの被加熱物載置手段は下方からのマイクロ波はもちろん、上方からのマイクロ波であっても基体をマイクロ波が透過してくるので、マイクロ波発熱体が確実にマイクロ波を吸収する。また、発熱体加熱手段を外れたマイクロ波は被加熱物載置手段の金属カバーで反射されるうちに発熱体加熱手段に届くことになるので、十分な発熱量を得ることができる。
【発明の効果】
【００１８】
本発明の被加熱物載置手段とそれを用いたマイクロ波加熱装置は、加熱室内での配置が制限されるヒータに代わる加熱手段を設けることにより、誘電加熱のみで食品のあたためを行う場合のマイクロ波の損失を防止し、食品の両面に焼き色や焦げ目をつけて食感や風味を食品に与える加熱ができる、誘電加熱の効率向上と被加熱物の表面色や表面状態含む加熱性能の向上を図ることができる。
【図面の簡単な説明】
【００１９】
【図１】本発明に係る実施の形態１のマイクロ波加熱装置における概略構成を示す側面断面図
【図２】本発明に係る実施の形態１のマイクロ波加熱装置における図１のＡ−Ａ部での正面断面図
【図３】本発明に係る実施の形態１の被加熱物載置手段を示す詳細断面図
【図４】本発明に係る実施の形態１のマイクロ波加熱装置における表示操作パネルの外観図
【図５】本発明に係る実施の形態１のマイクロ波加熱装置における運転時の使用者と制御部の動作を示すフローチャート
【図６】従来の上下ヒータを備えたマイクロ波加熱装置の断面図
【発明を実施するための形態】
【００２０】
第１の発明は、被加熱物を収納した状態でマイクロ波加熱手段によってマイクロ波が照射される加熱室で用いるための、被加熱物を載置可能な被加熱物載置手段であって、前記加熱室平面の略全面積を占める電波透過性の非金属材料を使用した基体で構成され、前記基体の下面の一部に形成され、前記マイクロ波加熱手段によって照射されたマイクロ波を吸収して発熱するマイクロ波発熱体によって構成された発熱体加熱手段と、前記基体の下面において前記発熱体加熱手段が形成された以外の下面部分に形成された金属製カバーを備えたものである。
【００２１】
本発明によれば、被加熱物載置手段の下方から照射されたマイクロ波のうち、発熱体加熱手段に直接届いたものは発熱体加熱手段がマイクロ波を吸収し発熱する。一方、被加熱物載置手段下面の発熱体加熱手段を除く部分は金属製カバーが設けられているので、発熱体加熱手段を外れたマイクロ波は金属性カバーと加熱室の壁面の間で反射されて発熱体加熱手段に届くことになり、発熱体加熱手段が確実にマイクロ波を吸収し、十分な発熱量を得ることができる。また、マイクロ波を被加熱物載置手段の上方から照射した場合は、電波透過性の板状または基体の下面にマイクロ波発熱体を有するように構成されているので、被加熱物載置手段の上方からのマイクロ波であっても基体をマイクロ波が透過してくる。そして、透過してきたマイクロ波の発熱体加熱手段を外れたものも金属性カバーで反射されて、下方からの場合と同様に発熱体加熱手段に届くことになるので、マイクロ波発熱体が確実にマイクロ波を吸収し、十分な発熱量を得ることができる。したがって、被加熱物載置手段を取り付けることで焼き色や焦げ目をつけるグリル調理が実現できる。
【００２２】
第２の発明は、被加熱物を収納する加熱室と、前記加熱室内に収納された被加熱物へマイクロ波を照射するマイクロ波加熱手段と、前記加熱室平面の略全面積を占める電波透過性の非金属材料を使用した基体で構成され、前記基体の下面の一部に形成され、前記マイクロ波加熱手段によって照射されたマイクロ波を吸収して発熱するマイクロ波発熱体によって構成された発熱体加熱手段と、前記基体の下面において前記発熱体加熱手段が形成された以外の下面部分に形成された金属製カバーを備えた第一と第二の被加熱物載置手段と、前記マイクロ波加熱手段からのマイクロ波を前記加熱室内に導入するために前記加熱室の壁面に設けた第一と第二の給電口とを備え、前記第一の被加熱物載置手段は前記加熱室の上方に配置され、前記第二の被加熱物載置手段は前記加熱室の下方に配置され、前記第一の給電口は前記第一の被加熱物載置手段よりも上方の前記加熱室の壁面に設け、前記第二の給電口は前記第二の被加熱物載置手段よりも下方の前記加熱室の壁面に設けたものである。
【００２３】
本発明によれば、マイクロ波発熱体によって構成される発熱体加熱手段を有する二つの被加熱物載置手段で、被加熱物である食品を挟んで加熱することにより、マイクロ波により誘電加熱するマイクロ波加熱装置でも簡単構成で食品の両面に焼き色や焦げ目をつけることができ、クリスピー感などの食感や風味を食品に与えることができるようになる。また、マイクロ波単独での誘電加熱のみで食品のあたためを行う場合は、二つの被加熱物載置手段を取り外すことで、マイクロ波の損失を生じやすいヒータなどの高温発熱体が加熱室内に配されることが無いので効率的に誘電加熱でき、逆にマイクロ波の供給部品によって加熱室内の上下ヒータの配置が制限されるようなことなく、二つの被加熱物載置手段を取り付けることで焼き色や焦げ目をつけるグリル調理ができ、配置制限されない発熱体加熱手段によって加熱分布を均一にできる。
【００２４】
さらに、二つの被加熱物載置手段は、電波透過性の基体の下面にマイクロ波発熱体を有するように構成されているので、それぞれの被加熱物載置手段は下方からのマイクロ波はもちろん、上方からのマイクロ波であっても基体をマイクロ波が透過してくるので、マイクロ波発熱体が確実にマイクロ波を吸収し、十分な発熱量を得ることができる。そして、加熱室平面の略全面積を占める被加熱物載置手段の下面のうち、発熱体加熱手段を除く部分は金属製カバーが設けられて加熱室平面の略全面積を覆っているので、発熱体加熱手段を外れたマイクロ波は、被加熱物載置手段に設けた金属製カバーと加熱室の壁面で反射されて発熱体加熱手段に届くことになる。したがって、発熱体加熱手段で吸収されずに裏面に回り込んで食品に吸収されるマイクロ波を防止し抑制できるので、マイクロ波の入りすぎで食品のサクサク感がなくなったり、水分がなくなるなどの食感や風味を損なうことを防ぎ、被加熱物の加熱性能や食品の調理性能が向上する。
【００２５】
第３の発明は、特に、第２の発明のマイクロ波加熱手段を複数個有し、前記第一の給電口からマイクロ波を照射できるように接続された第一のマイクロ波加熱手段と、前記第二の給電口からマイクロ波を照射できるように接続された第二のマイクロ波加熱手段とを備えたことにより、被加熱物上方の第一の被加熱物載置手段と下方の第二の被加熱物載置手段のそれぞれの発熱体加熱手段に確実にマイクロ波を照射して発熱させ、それぞれの発熱量を個別に設定制御することが可能となり、所望の焼き色や焦げ目をつける精緻な加熱制御ができるので被加熱物の加熱性能や食材の調理性能が向上する。
【００２６】
第４の発明は、特に、第２または第３のいずれか１つの発明において、前記第一の被加熱物載置手段および前記第二の被加熱物載置手段のうちの少なくとも一方の配置有無を検出する配置検出手段を備えたことにより、制御手段が配置検出手段の出力信号に基づき発熱体加熱手段の有無を判別できるので、発熱体加熱手段が有ると判断したときに発熱体加熱手段が加熱室内に有ることや、発熱体加熱手段によって可能なグリル調理といった焼き色を付ける加熱パターンを、表示手段や音声手段といった報知手段によって使用者に知ら
せることができる。これにより、食感や焼き色の異なる調理モードを好みに応じて使用者が分かり易く選択できる。
【００２７】
第５の発明は、特に第４の発明において、前記被加熱物を加熱するパターンを複数の中から選択設定できる加熱モード選択手段と、前記加熱モード選択手段の設定に基づき加熱制御する制御手段とを備え、前記制御手段は前記配置検出手段の出力信号に基づき、前記第一の被加熱物載置手段及び前記第二の被加熱物載置手段のうちの少なくとも一つの被加熱物載置手段が有ると判断したときは被加熱物への誘電加熱単独加熱モードの選択を禁止するようにしたことにより、使用者が誘電加熱単独加熱を意味するあたため加熱で加熱したいときに誤って発熱体加熱手段が加熱室内に入れられていても、制御手段が発熱体加熱手段の有無を判別して、加熱室内に少なくとも一つの被加熱物載置手段が有る場合はあたため加熱の選択を禁止するので、誤った加熱パターンが進行して調理に失敗するなどの使用者の誤使用を防止できる。
【００２８】
以下、本発明の被加熱物載置手段とそれを用いたマイクロ波加熱装置に係る好適な実施の形態について、添付の図面を参照しつつ説明する。なお、以下の実施の形態のマイクロ波加熱装置においては加熱調理器を用いて説明するが、加熱調理器は例示であり、本発明のマイクロ波加熱装置としては加熱調理器に限定されるものではなく、マイクロ波加熱である誘電加熱を利用した加熱装置を含むものである。したがって、本発明は、以下の実施の形態の具体的な構成に限定されるものではなく、同様の技術的思想に基づく構成を含むものである。
【００２９】
（実施の形態１）
本発明に係る実施の形態１としては、被加熱物載置手段とそれを用いたマイクロ波加熱装置における加熱調理器について説明する。
【００３０】
図１は、本発明に係る実施の形態１のマイクロ波加熱装置としての加熱調理器における概略構成を示す側面断面図である。
【００３１】
図１において、本実施の形態１の加熱調理器は筐体１０、ドア１１、表示操作パネル１２から構成され、加熱調理器の外観を構成する筐体１０の内部には被加熱物である食品１４を誘電加熱（マイクロ波加熱）と、あるいは焼き色や焦げ目をつける加熱調理をするための加熱室１５が設けられている。即ち、加熱室１５においては、被加熱物である食品１４が収納されて、食品１４にマイクロ波を放射してマイクロ波加熱している。
【００３２】
鋼鈑により形成された加熱室１５の天井壁面における中央付近には給電室１６が設けられており、給電室１６の内部には電波撹拌手段としての回転アンテナの上給電部１７が配置されている。給電室１６の壁面は、上給電部１７から放射されたマイクロ波を反射する材料で構成されており、給電室１６の外側へマイクロ波が漏洩しないよう遮蔽構造を有している。回転アンテナの上給電部１７は、上導波管１８に形成され結合孔である第一の給電口１９から導出するよう設けられている。上導波管１８は、マイクロ波加熱手段である上マグネトロン２０からのマイクロ波を上給電部１７に伝送する。上マグネトロン２０は、加熱室１５において被加熱物である食品１４をマイクロ波加熱するためのマイクロ波を生成している。上給電部１７に伝送されたマイクロ波は、加熱室１５内に放射される。上マグネトロン２０は、加熱室１５の天面側に配置された上導波管１８おける右側端部（図１参照）に配置されており、上導波管１８に対して上マグネトロン２０の発振アンテナである上マグネトロン出力部２１が上向きに挿入されている。上導波管１８の水平部に形成された第一の給電口１９には、回転アンテナである上給電部１７が設けられている。上給電部１７は、平板素子２２ａと垂直軸素子２２ｂで構成されている。上給電部１７の垂直軸素子２２ｂはモータ２３に接続されている。モータ２３の駆動により垂直軸素子２２ｂ
が回動されて、平板素子２２ａが回転する構成である。上給電部１７は、上導波管１８の水平伝送路に結合されており、上導波管１８を伝送したマイクロ波が上給電部１７の平板素子２２ａにより加熱室１５内に放射される。
【００３３】
加熱室１５の天井壁面の略中央には、回転する平板素子２２ａを収納する円筒形状の給電室１６が設けられている。上導波管１８の水平部の下面に形成された第一の給電口１９は、給電室１６の上端部に形成された開口に接続されて結合孔として一体となって機能しており、上導波管１８と上給電部１７との結合部分は、給電口として所定の直径が確保されている。
【００３４】
図１に示すように、加熱室１５の天井壁面において、給電室１６の下端となる開口部分にカバー２４が設けられている。カバー２４は、マイカ製であり、上給電部１７の平板素子２２ａ等に対して加熱室１５内の食品から飛び散った汚れ等が付着しないように設けられている。なお、カバー２４は低損失誘電材料であるマイカを用いた例で説明したが、マイカに限定されるものではなく、セラミックやガラス等の材料を用いても同様の効果を奏する。
【００３５】
一方、加熱室１５の底面における中央付近には電波撹拌手段としての回転アンテナの下給電部２６が配置されている。回転アンテナの下給電部２６は下導波管２７に形成され結合孔である第二の給電口２８から導出するよう設けられている。下導波管２７は、マイクロ波加熱手段である下マグネトロン２９からのマイクロ波を下給電部２６に伝送する。下マグネトロン２９は、加熱室１５において被加熱物である食品１４をマイクロ波加熱するためのマイクロ波を生成している。下給電部２６に伝送されたマイクロ波は、加熱室１５内に放射される。下マグネトロン２９は、加熱室１５の底面側に配置された下導波管２７おける右側端部（図１参照）に配置されており、下導波管２７に対して下マグネトロン２９の発振アンテナである下マグネトロン出力部３０が下向きに挿入されている。そして加熱室１５内部の下給電部２６のすぐ上方には、マイクロ波透過材料の板材で加熱室の下面全面に設けた皿受台３１が、回転アンテナとのクリアランスを設けて設置され、食品１４をマイクロ波の誘電加熱だけで加熱調理する場合は皿受台３１に食品１４を直接載せることができるようになっている。
【００３６】
図２は実施の形態１の加熱調理器における図１のＡ−Ａ部での正面断面図、図３は本発明に係る実施の形態１の被加熱物載置手段を示す詳細断面図である。
【００３７】
図１から図３に示すように、加熱室１５の内部には、電波透過性の非金属材料を使用した基体で構成され、加熱室１５を水平面で切断した断面積の略全面積を占めるように形成された第一の被加熱物載置手段である第一のグリル皿３４と、同様に構成された第二の被加熱物載置手段である第二のグリル皿３５とが設けられている。
【００３８】
この二つの第一のグリル皿３４と第二のグリル皿３５の基体は、板状または皿状体で構成され、誘電損失の小さいセラミックでできた縁有りの角皿として形成されることで電波透過性を有し、その下面に加熱室１５内部に照射されるマイクロ波を吸収して発熱するマイクロ波発熱体によって構成される発熱体加熱手段３６が設けられている。
【００３９】
この二つの第一のグリル皿３４と第二のグリル皿３５の各々の下面の発熱体加熱手段３６以外のセラミックが露出する部分には、金属板を絞り加工して形成された金属製カバー３９がビス４０により固定されて、下面のセラミック部分を覆い電波反射性を有している。上方に配置された第一の被加熱物載置手段である第一のグリル皿３４は、加熱室１５の左右両側の側壁面を棚形状に成形した第一の配置手段３７に載せられて、加熱室１５の天井壁面側（上側）に脱着可能に配置されている。
【００４０】
他方、下方に配置された第二の被加熱物載置手段である第二のグリル皿３５は、第一の配置手段３７と同様に加熱室１５の左右側壁面を棚形状に成形した第二の配置手段３８に載せられて加熱室１５の底面側（下側）に脱着可能に配置されている。
【００４１】
そして、二つの第一のグリル皿３４と第二のグリル皿３５は同一構成・同一形状で、二つを入れ替えることが可能な全く同じ被加熱物載置手段となっている。この角皿形状の第一のグリル皿３４または第二のグリル皿３５の上に被加熱物である食品１４を載せることで、加熱室１５内の所望の高さに食品を配置することができる。
【００４２】
第一のグリル皿３４、第二のグリル皿３５に設けられた発熱体加熱手段３６は磁性材料としてフェライト粉末などを用い、この磁性材料を、シリコーンゴムなどの有機化合物によるバインダーに含有させ複合組成物としたものを用いている。
【００４３】
シリコーンゴムはフェライト粉末との分散性に優れているため、多量のフェライト粉末を含有させ、高い発熱性能を実現させている。また、シリコーンゴムを架橋剤によって架橋させることにより、高い耐熱性や優れた耐化学薬品性を発現させている。
【００４４】
そして、このように構成したマイクロ波発熱材料を用いてプレス機などによる熱プレスにより、発熱体加熱手段３６は第一のグリル皿３４、第二のグリル皿３５の下面にマイクロ波発熱材料を接着した一体構成で配置している。
【００４５】
第二のグリル皿３５の上に載せられた、被加熱物である食品１４は、すぐ裏面の発熱体加熱手段３６と、上方にある第一のグリル皿３４下面の発熱体加熱手段３６とにより挟まれて上下方向から加熱される。
【００４６】
第二のグリル皿３５裏面からは伝導熱により食品１４が加熱され、第一のグリル皿３４下面からは主として発熱体加熱手段３６による輻射熱により食品１４が加熱される。
【００４７】
なお、実施の形態１の加熱調理器においては、第一のグリル皿３４と第二のグリル皿３５は、加熱室１５において複数の棚形状を設けて複数段の配置手段を形成し、二つの上下の間隔を所望の位置に装着できる構成にしてもよい。
【００４８】
上記のように構成された実施の形態１の加熱調理器においては、１つの加熱手段としてマイクロ波による誘電加熱部を上下に有し、他の加熱手段として装着配置した第一のグリル皿３４下面の発熱体加熱手段３６と、第二のグリル皿３５下面の発熱体加熱手段３６による輻射熱・伝導熱・対流熱の高温加熱部を有している。
【００４９】
このように、実施の形態１の加熱調理器は、誘電加熱部と脱着可能な高温加熱部とを備えることにより、加熱室１５内の被加熱物である食品１４に対する所望の加熱調理を行う構成である。
【００５０】
加熱室１５の内部において、被加熱物である食品１４に対して上方から加熱する第一のグリル皿３４下面の発熱体加熱手段３６は、加熱室１５の天井壁面の給電室１６天面に開口する第一の給電口１９の下方に配置されている。
【００５１】
即ち、給電室１６内の回転アンテナである上給電部１７から放射されたマイクロ波により、第一のグリル皿３４の発熱体加熱手段３６は第一のグリル皿３４のセラミック材料を透過してきたマイクロ波を吸収し、発熱する。
【００５２】
他方、加熱室１５の内部で食品１４に対し下方から加熱する第二のグリル皿３５下面の発熱体加熱手段３６は、加熱室１５の底面に開口する第二の給電口２８の上方の皿受台３１のさらに上に配置されている。即ち、加熱室１５の底部の回転アンテナである下給電部２６から放射されたマイクロ波により、第二のグリル皿３５下面の発熱体加熱手段３６は直接的に照射されてマイクロ波を吸収し、発熱する。
【００５３】
図２において、加熱室１５の左側壁の第一の配置手段３７および第二の配置手段３８の近傍には、第一のグリル皿３４と第二のグリル皿３５の縁の高さにそれぞれ、絶縁材料でできた細い棒状の検出ピン４１が配置されている。検出ピン４１はバネ（図示せず）で付勢されて加熱室１５の側壁から突出しているが、第一の配置手段３７または第二の配置手段３８のいずれかに、それぞれ第一のグリル皿３４または第二のグリル皿３５が載せられて所定位置に配置されると、検出ピン４１が加熱室１５から外側に押し出されるようになっている。
【００５４】
このように検出ピン４１が押し出されることで接点が閉じて、第一のグリル皿３４と第二のグリル皿３５のそれぞれの配置の有無を検出できる２個の配置検出スイッチ４２が、加熱室１５の左側壁外側に配置検出手段として設けられている。
【００５５】
この配置検出スイッチ４２は、図１に示した表示操作パネル１２の近傍の制御手段である制御部４６に、表示操作パネル１２とともに電気的に接続されている。したがって、制御部４６は、配置検出スイッチ４２の信号出力を受けて二つの第一のグリル皿３４、第二のグリル皿３５の有無を判断し、グリル皿が有りの場合はグリル皿が加熱室１５内に有ることを、後述する表示部５１や音声発生部４７を利用して報知するように構成している。
【００５６】
さらに、制御部４６は被加熱物である食品１４の加熱モードを表示操作パネル１２によって選択設定し、加熱時間や加熱出力を制御する構成となっており、グリル皿が有りの場合に、誘電加熱による単独加熱運転の選択設定を禁止するとともに、使用者になぜ誘電加熱運転の選択設定禁止なのか、および、どのように対処すれば良いのかを知らせるように構成している。
【００５７】
図４は、実施の形態１の加熱調理器における表示操作パネル１２の外観図である。図４において、表示操作パネル１２には、液晶等を使用した表示部５１、加熱モードの選択や加熱時間の選択などを行う加熱モード選択手段であるダイヤル操作部５２、加熱運転を開始させるスタートキー５３、加熱運転を停止させる取り消しキー５４などが設けられている。
【００５８】
以上のように構成された加熱調理器について、以下その基本動作、作用について説明する。図５は、実施の形態１の加熱調理器を運転するときの使用者と制御部４６の動作を示すフローチャートである。
【００５９】
以下、図５を参照しながら、使用者が本実施の形態の加熱調理器を用いて食品の加熱調理を行うときの制御部４６の動作について説明する。
【００６０】
まず、使用者は誘電加熱単独による食品１４のあたため加熱をする場合、ドア１１を開け、第一のグリル皿３４および第二のグリル皿３５が加熱室１５の中に入っている場合は取り出して、食品１４を皿受台３１に直接載せた後、表示操作パネル１２の操作を開始する。
【００６１】
制御部４６はその運転開始とともに使用者がダイヤル操作部５２やその他のキーなどを操作するまで待機する（ステップＳ１０１）。ここで、ドアの開閉検出手段を設けて使用
者のドア操作を検出し使用開始判定することを加えてもよい。
【００６２】
そして、このステップＳ１０１で使用者が何らかの操作入力を行い、加熱調理器の使用が開始されたことを判断すると、配置検出スイッチ４２により二つの第一のグリル皿３４、第二のグリル皿３５の有無を検出する（Ｓ１０２）。
【００６３】
そして、制御部４６が配置検出スイッチ４２の出力信号に基づき、第一のグリル皿３４および第二のグリル皿３５の両方が加熱室１５に無いことを判定する（Ｓ１０３）。
【００６４】
使用者がダイヤル操作部５２を回して、複数の加熱モードの中からあたため加熱を選択した後に加熱時間を設定（Ｓ１０４）すると、制御部４６は加熱モードや条件を決定し（Ｓ１０５）、使用者がスタートキー５３を押す（Ｓ１０６）ことで、制御部４６で所定の条件に運転制御されながらあたため加熱が開始する（Ｓ１０７）。
【００６５】
そして設定時間が経過すると、表示部５１や音声発生部４７などを利用して加熱が終了したことを使用者に報知し（Ｓ１０８）、運転が終了する。
【００６６】
一方、使用者が第一のグリル皿３４と第二のグリル皿３５のどちらか一方でも加熱室１５の中から取り出すことを忘れていると、ステップＳ１０３で制御部４６が配置検出スイッチ４２の出力信号に基づき、二つの第一のグリル皿３４、第二のグリル皿３５の一方または両方が加熱室１５に有ると判定する。すると制御部４６は誘電加熱単独の加熱モードであるあたため加熱の選択を禁止に設定する（Ｓ１０９）。
【００６７】
したがって、使用者がダイヤル操作部５２を回して、複数の加熱モードの中からあたため加熱を選択しようとしても（Ｓ１１０）、選択禁止に設定されているので、選択設定できずに次の加熱時間設定に進むことができない（Ｓ１１１）。
【００６８】
この被加熱物載置手段である第一のグリル皿３４と第二のグリル皿３５のどちらか一方が有りの場合に、使用者があたため加熱をダイヤル操作部５２で選択しようとすると、制御手段である制御部４６はグリル皿が加熱室１５内に有ることを、表示部５１や音声発生部４７を利用して報知する（Ｓ１１２）。
【００６９】
これにより、使用者はなぜ誘電加熱単独加熱を意味するあたため加熱運転の選択が不可能なのか、およびどのように対処すれば良いのかが分かるようになっている。
【００７０】
次に、使用者が高温加熱のひとつである、発熱体加熱手段３６による食品１４のグリル加熱をする場合を説明する。使用者は食品１４に焼き色や焦げ目をつけるためグリル加熱をする場合、ドア１１を開け、発熱体加熱手段３６が接着されて一体になっている第二のグリル皿３５の上に食品１４を載せて加熱室１５の中に入れる。食品１４の片面に焼き色を付ければ十分なときは第一のグリル皿３４を使用しない。
【００７１】
一方、食品１４の両面に同時に焼き色を付けたいときは、食品１４を載せた第二のグリル皿３５を加熱室１５内の第二の配置手段３８にセットするとともに第一のグリル皿３４も第一の配置手段３７に載るよう加熱室１５の中にセットした後、表示操作パネル１２の操作を開始する。
【００７２】
制御部４６はその運転開始とともに使用者がダイヤル操作部５２やその他のキーなどを操作するまで待機する（Ｓ１０１）。このステップＳ１０１で使用者が何らかの操作入力を行い、加熱調理器の使用が開始されたことを判断すると、配置検出スイッチ４２により二つの第一のグリル皿３４、第二のグリル皿３５の有無を検出する（Ｓ１０２）。
【００７３】
そして、制御部４６が配置検出スイッチ４２の出力信号に基づき、第一のグリル皿３４または第二のグリル皿３５のどちらか一方でも加熱室１５に有ることを判定する（Ｓ１０３）。すると制御部４６は誘電加熱単独の加熱モードであるあたため加熱の選択を禁止に設定する（Ｓ１０９）。
【００７４】
使用者がダイヤル操作部５２を回して、複数の加熱モードの中からグリル加熱を選択する（Ｓ１１０）と、あたため加熱ではないので（Ｓ１１１）、そのまま加熱時間を設定することができる。
【００７５】
すると、制御部４６は加熱モードや条件を決定し（Ｓ１０５）、使用者がスタートキー５３を押す（Ｓ１０６）ことで、制御部４６で所定の条件に運転制御されながらグリル加熱が開始する（Ｓ１０７）。
【００７６】
そして設定時間が経過すると、表示部５１や音声発生部４７などを利用して加熱が終了したことを使用者に報知し（Ｓ１０８）、運転が終了する。
【００７７】
実施の形態１の加熱調理器においては、このように使用者が誘電加熱単独加熱を意味するあたため加熱したいときに誤って第一のグリル皿３４または第二のグリル皿３５が加熱室１５内に入れられていると、マイクロ波加熱手段である上マグネトロン２０と下マグネトロン２９から照射されたマイクロ波がマイクロ波発熱体に吸収されるので、所定の加熱時間では必要な温度まで十分に加熱することができなくなる。
【００７８】
加えて、第一のグリル皿３４や第二のグリル皿３５下面の発熱体加熱手段３６により不要な焼き色や焦げが生じることもある。しかしながら配置検出手段である配置検出スイッチ４２を備えたことにより、制御手段である制御部４６が、配置検出スイッチ４２の出力信号に基づき第一のグリル皿３４、第二のグリル皿３５の有無を判別できるので、グリル皿が有ると判断したときにグリル皿が加熱室１５内に有ることや、第一のグリル皿３４、第二のグリル皿３５によって可能なグリル調理といった焼き色を付ける加熱パターンを、表示部５１や音声発生部４７といった報知手段によって使用者に知らせることができる。
【００７９】
これにより、食感や焼き色の異なる調理モードを好みに応じて使用者が分かり易く選択できる。
【００８０】
また、実施の形態１の加熱調理器においては、使用者があたため加熱で加熱したいときに誤って被加熱物載置手段である第一のグリル皿３４、第二のグリル皿３５が加熱室１５内に入れられていても、制御部４６が第一のグリル皿３４、第二のグリル皿３５の有無を判別して、加熱室１５内に少なくとも一つのグリル皿が有る場合はあたため加熱の選択を禁止するので、誤った加熱パターンが進行して調理に失敗するなどの使用者の誤使用を防止できる。
【００８１】
実施の形態１の加熱調理器においては、加熱室１５内にマイクロ波を照射する上マグネトロン２０と下マグネトロン２９と、加熱室１５内で照射されるマイクロ波を吸収して発熱するマイクロ波発熱体によって構成された発熱体加熱手段３６を接着した被加熱物載置手段である第一のグリル皿３４、第二のグリル皿３５とを備え、第一の配置手段３７によって加熱室１５の上方に第一の被加熱物載置手段である第一のグリル皿３４を配置し、第二の配置手段３８によって加熱室１５の下方に第二の被加熱物載置手段である第二のグリル皿３５を配置するとともに、第一のグリル皿３４よりも上方の第一の給電口１９から上マグネトロン２０のマイクロ波を照射し、第二のグリル皿３５よりも下方の第二の給電口２８から下マグネトロン２９のマイクロ波を照射するよう構成したことにより、マイクロ
波発熱体によって構成された発熱体加熱手段３６を有する二つの第一のグリル皿３４、第二のグリル皿３５で食品１４を挟んで加熱することになる。
【００８２】
したがって、マイクロ波の照射により誘電加熱するだけのマイクロ波加熱装置であっても、マイクロ波の照射により高温になったマイクロ波発熱体を有する二つの被加熱物載置手段で、簡単構成で食品１４の両面に焼き色や焦げ目をつけることができ、クリスピー感などの食感や風味を食品に与えることができるようになる。
【００８３】
また、マイクロ波単独での誘電加熱のみで食品１４のあたためを行う場合は、二つの第一のグリル皿３４、第二のグリル皿３５を取り外すことで、マイクロ波の損失を生じやすいヒータなどの高温発熱体が加熱室１５内に配されることが無いので効率的に誘電加熱でき、逆にマイクロ波の供給部品によって加熱室内の上下ヒータの配置が制限されるといったことがない。
【００８４】
そして、二つの第一のグリル皿３４、第二のグリル皿３５を取り付けることで焼き色や焦げ目をつけるグリル調理が実現でき、配置制限されない発熱体加熱手段によって加熱分布を均一にできる。
【００８５】
そして、被加熱物載置手段である第一のグリル皿３４、第二のグリル皿３５においては、下方から照射されたマイクロ波のうち、発熱体加熱手段３６に直接届いたものは発熱体加熱手段３６がマイクロ波を吸収し発熱する。
【００８６】
一方、第一のグリル皿３４、第二のグリル皿３５の発熱体加熱手段３６を除く部分は金属製カバーが設けられているので、発熱体加熱手段３６を外れたマイクロ波は金属性カバーと加熱室の壁面の間で反射されて発熱体加熱手段３６に届くことになり、発熱体加熱手段３６が確実にマイクロ波を吸収し、十分な発熱量を得ることができる。
【００８７】
また、マイクロ波を被加熱物載置手段（グリル皿）の上方から照射した場合は、誘電損失の小さい電波透過性の基体の下面にマイクロ波発熱体を有するように構成されているので、被加熱物載置手段の上方からのマイクロ波であっても基体をマイクロ波が透過してくる。
【００８８】
そして、透過してきたマイクロ波の発熱体加熱手段３６を外れたものも金属性カバーで反射されて、下方からの場合と同様に発熱体加熱手段３６に届くことになるので、マイクロ波発熱体が確実にマイクロ波を吸収し、十分な発熱量を得ることができる。
【００８９】
したがって、被加熱物載置手段を取り付けることで焼き色や焦げ目をつけるグリル調理が実現できる。
【００９０】
さらに、二つの被加熱物載置手段である第一のグリル皿３４、第二のグリル皿３５は、電波透過性の基体の下面にマイクロ波発熱体を有するように構成されているので、それぞれの被加熱物載置手段は下方からのマイクロ波はもちろん、上方からのマイクロ波であっても基体をマイクロ波が透過してくるので、マイクロ波発熱体が確実にマイクロ波を吸収し、十分な発熱量を得ることができる。
【００９１】
そして、加熱室平面の略全面積を占める第一のグリル皿３４、第二のグリル皿３５の下面のうち、発熱体加熱手段３６を除く部分は金属製カバーが設けられて加熱室平面の略全面積を覆っているので、発熱体加熱手段３６を外れたマイクロ波は第一のグリル皿３４、第二のグリル皿３５の金属製カバーと加熱室の壁面で反射されて発熱体加熱手段３６に届くことになる。
【００９２】
したがって、発熱体加熱手段３６で吸収されずに裏面に回り込んで食品１４に吸収されるマイクロ波を防止し抑制できるので、マイクロ波の入りすぎで食品１４のサクサク感がなくなったり、水分がなくなるなどの食感や風味を損なうことを防ぎ、被加熱物の加熱性能や食品の調理性能が向上する。
【００９３】
下方に配した第二のグリル皿３５は、発熱体加熱手段を有する皿状の加熱トレーを形成できるので、被加熱物から滴下する油でマイクロ波加熱装置内に汚れが飛び散ったり、下ヒータに滴下して発煙や発火が生じることを防止可能となる。
【００９４】
また、第一のグリル皿３４、第二のグリル皿３５は上下同じものを用いるので、製造する際には部品点数が減り管理が容易になってコストダウンが可能になるとともに、使用者にとっても上下同じものなので、上下グリル皿の取り違えによる誤装着を防止するとともに、万一使用者が上下を逆に使用しても基体を透過してマイクロ波が発熱体加熱手段に吸収されるので発熱量を確保したグリル調理が可能となり、使いやすさを向上できる。
【００９５】
実施の形態１の加熱調理器においては、マイクロ波加熱手段として上マグネトロン２０と下マグネトロン２９の二つを有し、上マグネトロン２０は第一の給電口１９からマイクロ波を照射できるように接続され、下マグネトロン２９は第二の給電口２８からマイクロ波を照射できるように接続されているので、被加熱物である食品１４の上方にある第一のグリル皿３４と下方の第二のグリル皿３５のそれぞれの発熱体加熱手段３６の発熱量を、制御部４６において個別に設定制御することが可能となり、所望の焼き色や焦げ目をつける精緻な加熱制御ができるので被加熱物の加熱性能や食品の調理性能が向上する。
【００９６】
なお、実施の形態１の加熱調理器においては、二つの第一の給電口１９、第二の給電口２８と二つの上マグネトロン２０、下マグネトロン２９を有する構成について説明したが、上下二つの給電口と一つのマグネトロンの組合せで、マグネトロンが設けられた導波管から上導波管と下導波管が分岐する構成（図示せず）であってもよい。
【００９７】
この場合、第一のグリル皿３４と第二のグリル皿３５とが有する発熱体加熱手段３６のサイズや量をそれぞれ最適化することで、上下の発熱量を好適な比率に設定することもできるので、本実施の形態１と同様の効果を奏する。
【００９８】
以上のように、実施の形態１において説明したように、本発明のマイクロ波加熱装置においては、加熱室内に上下からマイクロ波を照射するマイクロ波加熱手段と第一と第二の給電口を設け、加熱室平面の略全面積を占める電波透過性の非金属材料を使用した基体で構成され被加熱物を載置可能な第一と第二の被加熱物載置手段であるグリル皿を加熱室内の上下に配置し、加熱室内で照射されるマイクロ波を吸収して発熱するマイクロ波発熱体によって構成された発熱体加熱手段を上下二つのグリル皿の下面の一部に設け、発熱体加熱手段以外のグリル皿の下面部分に金属製カバーを設けて、上下の給電口から発熱体加熱手段にマイクロ波を照射できるよう構成したことにより、マイクロ波によって高温になった二つの被加熱物載置手段で被加熱物を挟んで加熱することになり、マイクロ波により誘電加熱するマイクロ波加熱装置でも、簡単構成で被加熱物の両面に焼き色や焦げ目をつけることができるようになる。
【００９９】
また、マイクロ波単独での誘電加熱のみで加熱を行う場合は、二つの被加熱物載置手段を取り外しマイクロ波の損失を防止して効率的に誘電加熱できる。そして、配置が制限されることなく二つの被加熱物載置手段を取り付けることで焼き色や焦げ目をつける加熱が可能となり、加熱分布を均一にできる。このように、誘電加熱の効率向上と被加熱物の表面色や表面状態含む加熱性能の向上を図ることができる。
【産業上の利用可能性】
【０１００】
以上のように、本発明にかかる被加熱物載置手段とそれを用いたマイクロ波加熱装置は、食品にマイクロ波を放射して誘電加熱する加熱調理器、特にオーブン、グリル、過熱スチームなどのその他の加熱と併用する加熱調理器の他に、乾燥装置、陶芸用加熱装置などの各種工業用途におけるマイクロ波加熱装置等の用途に有用である。
【符号の説明】
【０１０１】
１４  食品（被加熱物）
１５  加熱室
１９  第一の給電口
２０  上マグネトロン（マイクロ波加熱手段）
２８  第二の給電口
２９  下マグネトロン（マイクロ波加熱手段）
３４  第一のグリル皿（第一の被加熱物載置手段）
３５  第二のグリル皿（第二の被加熱物載置手段）
３６  発熱体加熱手段
３９  金属製カバー
４２  配置検出スイッチ（配置検出手段）
４６  制御部（制御手段）
５２  ダイヤル操作部（加熱モード選択手段）
【図３】
2014016069.tif 000003
【図４】
2014016069.tif 000004
【図５】
2014016069.tif 000005
【図１】
2014016069.tif 000006
【図２】
2014016069.tif 000007
【図６】
2014016069.tif 000008